(57)【要約】      （修正有）【課題】点検時において、排水管を接続するための接着剤の塗布状況の視認を可能とする一方、点検を行なわない通常時においては美感を維持し得る床排水トラップを提供する。【解決手段】床排水トラップの床固定部材４０は、透明な材料から形成され、床板１１０に取り付けられる本体部４１と、排水管９０ｂが第１接着剤９１によって取り付けられる接続部４２とを備える。カバー部材５０は、非透明な材料から形成され、床固定部材の本体部に取り付けられる。床排水トラップは、床固定部材の本体部のうちカバー部材によって覆われていない領域４１ａに、非透明な材料から形成された目隠しシート６０が配置されている。【選択図】図３
0003215054.tif 000002
【実用新案登録請求の範囲】
【請求項１】
排水ホースが接続されるホースジョイントと、前記ホースジョイントを床板に固定する床固定部材と、前記ホースジョイントを前記床固定部材に押し付けるカバー部材と、封水筒とを有する床排水トラップにおいて、
前記床固定部材は、透明な材料から形成され、前記床板に取り付けられる本体部と、排水管が第１接着剤によって取り付けられる接続部とを備え、
前記カバー部材は、非透明な材料から形成され、前記床固定部材の前記本体部に取り付けられ、
前記床固定部材の前記本体部のうち前記カバー部材によって覆われていない領域に、非透明な材料から形成された目隠しシートを配置したことを特徴とする床排水トラップ。
【請求項２】
前記床固定部材は、前記排水管とは内径が異なる他の排水管が前記第１接着剤によって取り付けられるブッシュを含み、
前記ブッシュは、透明な材料から形成され、第２接着剤によって前記接続部に取り付けられる請求項１に記載の床排水トラップ。
【請求項３】
前記目隠しシートは、前記床固定部材の前記本体部の下面側に配置される請求項１または２に記載の床排水トラップ
【請求項４】
前記第１接着剤は、着色されている請求項１〜３のいずれか１項に記載の床排水トラップ。
【請求項５】
前記第２接着剤は、前記第１接着剤の色とは異なる色に着色されている請求項２に記載の床排水トラップ。
【考案の詳細な説明】
【技術分野】
【０００１】
本考案は、床面等に取り付けて使用する床排水トラップに関する。
【背景技術】
【０００２】
電気洗濯機等からの排水を床下に排出する場合、床排水トラップが使用される。床排水トラップは、単に洗濯機等からの排水を流すだけでなく、排水の一部を貯留し、これにより臭気の逆流を阻止する機能を備えている。床排水トラップは、床板に形成された下穴を塞ぐように取り付けられる。床下に配設される排水管は、床排水トラップの下面側に設けた接続部に接着剤によって接続されている。
【考案の概要】
【考案が解決しようとする課題】
【０００３】
床排水トラップを床板に取り付けた後に、排水管を接続するための接着剤が適切に塗布されているか否かを点検したいという要請がある。
【０００４】
しかしながら、床排水トラップは非透明な合成樹脂脂材料から形成されているため、床排水トラップを取り付けた後に接着剤の塗布状況を視認することはできないのが実情である。その一方、床排水トラップを通常使用しているときや、清掃等のメンテナンスを行なっているときに、不要な部位（例えば、床板の下穴など）を視認できないようにすることは、美感を維持する観点から重要である。
【０００５】
そこで、本考案の目的は、点検時において、排水管を接続するための接着剤の塗布状況の視認を可能とする一方、通常使用時やメンテナンス時においては美感を維持し得る床排水トラップを提供することにある。
【課題を解決するための手段】
【０００６】
上記目的を達成するための本考案の床排水トラップは、排水ホースが接続されるホースジョイントと、前記ホースジョイントを床板に固定する床固定部材と、前記ホースジョイントを前記床固定部材に押し付けるカバー部材と、封水筒とを有する。前記床固定部材は、透明な材料から形成され、前記床板に取り付けられる本体部と、排水管が第１接着剤によって取り付けられる接続部とを備えている。前記カバー部材は、非透明な材料から形成され、前記床固定部材の前記本体部に取り付けられる。床排水トラップはさらに、前記床固定部材の前記本体部のうち前記カバー部材によって覆われていない領域に、非透明な材料から形成された目隠しシートを配置している。
【考案の効果】
【０００７】
本考案の床排水トラップによれば、カバー部材、ホースジョイントおよび封水筒を床固定部材から取り外した状態においては、透明な床固定部材の接続部を通して接着剤の塗布状況の視認が可能となり、排水管を接続するための接着剤が適切に塗布されているか否かを点検することができる。一方、通常使用時やメンテナンス時においては、非透明な目隠しシートによって透明な床固定部材を通しての視認が不能となり、床板の下穴などを視認できない。したがって、本考案によれば、点検時において、排水管を接続するための接着剤の塗布状況の視認を可能とする一方、通常使用時やメンテナンス時においては美感を維持し得る床排水トラップを提供できる。
【図面の簡単な説明】
【０００８】
【図１】本考案の一実施形態に係る床排水トラップを示す分解斜視図である。
【図２】床排水トラップを組み立てた状態を示す斜視図である。
【図３】床排水トラップを示す断面図である。
【図４】ブッシュを使用して排水管を床固定部材の接続部に取り付けた状態を示す断面図である。
【図５】ブッシュを使用せずに排水管を床固定部材の接続部に取り付けた状態を示す断面図である。
【考案を実施するための形態】
【０００９】
以下、添付した図面を参照しながら、本考案の実施形態について説明する。図面の説明において同一の要素には同一の符号を付し、重複する説明を省略する。図面における各部材の大きさや比率は、説明の都合上誇張され実際の大きさや比率とは異なる場合がある。
【００１０】
図１は、本考案の一実施形態に係る床排水トラップ１００を示す分解斜視図、図２および図３は、床排水トラップ１００を組み立てた状態を示す斜視図および断面図である。図４は、ブッシュ７０を使用して排水管９０ｂを床固定部材４０の接続部４２に取り付けた状態を示す断面図、図５は、ブッシュ７０を使用せずに排水管９０ａを床固定部材４０の接続部４２に取り付けた状態を示す断面図である。
【００１１】
床排水トラップ１００は、概説すると、排水ホース（図示せず）が接続されるホースジョイント１０と、ホースジョイント１０を床板１１０に固定する床固定部材４０と、ホースジョイント１０を床固定部材４０に押し付けるカバー部材５０と、封水筒８０とを有する。床固定部材４０は、透明な材料から形成され、床板１１０に取り付けられる本体部４１と、排水管９０ａ、９０ｂが第１接着剤９１によって取り付けられる接続部４２とを備えている。カバー部材５０は、非透明な材料から形成され、床固定部材４０の本体部４１に取り付けられる。床排水トラップ１００はさらに、床固定部材４０の本体部４１のうちカバー部材５０によって覆われていない領域に、非透明な材料から形成された目隠しシート６０を配置されている。なお、本実施形態の床固定部材４０は、ブッシュ７０の有無によって、内径が異なる２種類の排水管９０ａ、９０ｂを取り付けることができる。図１〜図４には、ブッシュ７０を使用して排水管９０ｂを床固定部材４０の接続部４２に取り付けた状態を示している。図５には、ブッシュ７０を使用せずに排水管９０ａを床固定部材４０の接続部４２に取り付けた状態を示している。以下、図１〜図４を参照して、ブッシュ７０を使用して排水管９０ｂを取り付ける状態を例に挙げて、床排水トラップ１００を詳述する。
【００１２】
ホースジョイント１０は、エルボ形状を有し、水平部の端部に洗濯機の排水ホース（図示せず）が接続される。ホースジョイント１０の下方に垂直円筒部１１が延在し、その外周にフランジ１２が設けられる。ホースジョイント１０は、好ましくはエラストマー製であり、一体成形される。エラストマーとしては、軟質ゴム、軟質合成樹脂などが使用可能である。
【００１３】
ホースジョイント１０は、リング２０および環状シール３０によって床固定部材４０に対して水密に取り付けられる。
【００１４】
リング２０は、２個の部材２１、２２から構成されている。リング２０は、２個の部材２１、２２が係合した状態でホースジョイント１０の垂直円筒部１１を囲繞し、フランジ１２の上面に配置される。符号「２３」は、リング２０の部材２１における上段部の上面を示している。
【００１５】
環状シール３０は、好ましくは、シリコンゴム製である。環状シール３０の形状は、平ワッシャー状、断面凸状の平ワッシャー状であってよく、Ｏ−リングであってもよい。
【００１６】
床固定部材４０は、床板１１０に取り付けられる本体部４１と、排水管９０ｂが第１接着剤９１によって取り付けられる接続部４２とを備えている。本体部４１は、角部にＲが付された略矩形の平面形状を有する。本体部４１の上に、カバー部材５０を取り付けることが可能である。接続部４２は、本体部４１の下面から下方に向けて伸びている。接続部４２は、中空の円筒形状を有する。接続部４２における内周面の下端に、環状段部４３が形成されている（図３を参照）。床固定部材４０は、取付孔４４により、ビス（図示せず）などで床板１１０に取り付けられる。
【００１７】
本体部４１の対向する２辺の端部は、ガイドレール４５を構成している。本体部４１の上面には段差が形成されている。上段部の上面４１ａと下段部の上面４１ｂとは異なる高さに構成されている。下段部の上面４１ｂは平面であり、その上をカバー部材５０がスライド移動する。上段部の形状および厚みは、カバー部材５０の取付時において、その厚みおよび形状に対応するように形成されている。
【００１８】
床固定部材４０は、透明な材料、例えば透明な合成樹脂脂材料から形成されている。ここに「透明な材料」は、排水管９０ｂを取り付ける第１接着剤９１の塗布状況を視認することができる材料である限りにおいて、着色されていてもよい。
【００１９】
カバー部材５０は、略矩形の平面形状を有する。カバー部材５０は、対向する２辺にコの字形状の係合部５１が設けられる。カバー部材５０の係合部５１は、床固定部材４０のガイドレール４５と係合する。カバー部材５０は、ガイドレール４５に沿ってスライドし、床固定部材４０の本体部４１に取り付けられる。カバー部材５０を取り付けるときには、たとえば、後端部５２を指などで押圧し、スライドさせる。カバー部材５０を取り外すときには、たとえば、爪部５３を指などで押圧し、スライドさせる。符号「５４」は、カバー部材５０の縁取りを示している。カバー部材５０の縁取り５４は、リング２０の部材２２に対応する同心円状に形成されている。カバー部材５０をガイドレール４５に沿ってスライドさせると、カバー部材５０がリング２０上に乗り上げるように構成されている。
【００２０】
カバー部材５０は、非透明な材料、例えば非透明な合成樹脂脂材料から形成されている。ここに「非透明な材料」は、カバー部材５０を本体部４１に取り付けた後に、透明な床固定部材４０を通しての視認を不能とするように所望の色に着色されていればよい。カバー部材５０は、全体が非透明な材料から形成されている必要はない。例えば、カバー部材５０は、透明な材料から形成したカバー本体の表面に、非透明な塗料を塗布することによって形成することができる。この場合にあっても、カバー部材５０は、透明な床固定部材４０を通しての視認を不能とすることができる。
【００２１】
目隠しシート６０は、床固定部材４０の本体部４１と同じ大きさを有し、略矩形の平面形状を有する。目隠しシート６０は、床固定部材４０の接続部４２が挿通される中心孔６１と、本体部４１の取付孔４４に連通する貫通孔６２とが形成されている。目隠しシート６０は、比較的剛性を有する板材のほか、可撓性を有するフィルムから形成することができる。
【００２２】
目隠しシート６０は、非透明な材料、例えば非透明な合成樹脂脂材料から形成されている。ここに「非透明な材料」は、カバー部材５０を本体部４１に取り付けた後に、透明な床固定部材４０を通しての視認を不能とするように所望の色に着色されていればよい。目隠しシート６０は、全体が非透明な材料から形成されている必要はない。例えば、目隠しシート６０は、透明な材料から形成したシート本体の表面に、非透明な塗料を塗布することによって形成することができる。この場合にあっても、目隠しシート６０は、透明な床固定部材４０を通しての視認を不能とすることができる。
【００２３】
本実施形態の床排水トラップ１００にあっては、カバー部材５０は、床固定部材４０の本体部４１のうち下段部の上面４１ｂを覆う。床固定部材４０の本体部４１における上段部の上面４１ａは、カバー部材５０によって覆われていない領域となる。目隠しシート６０を配置する領域は、少なくとも、「床固定部材４０の本体部４１のうちカバー部材５０によって覆われていない領域」であればよい。ただし、本実施形態では目隠しシート６０の床固定部材４０への組付け性を考慮して、目隠しシート６０は、中心孔６１を備え本体部４１と同じ大きさを有するシート材としている。
【００２４】
目隠しシート６０は、床固定部材４０の本体部４１の下面側に配置されている。目隠しシート６０は、床固定部材４０の本体部４１と床板１１０との間に挟み込んで取り付けることができる。床固定部材４０の上面４１ａに接着剤や粘着剤を用いて貼り付ける場合に比べて、目隠しシート６０の取り付け性が向上する。
【００２５】
本実施形態の床固定部材４０は、内径が異なる２種類の排水管９０ａ、９０ｂを取り付けることができる（図４および図５を参照）。排水管９０ａ、９０ｂは一般に硬質ポリ塩化ビニル管からなる。図５に示すように、床固定部材４０の接続部４２には、直接、排水管９０ａとしてのＶＰ管（塩ビ厚肉管）を第１接着剤９１によって取り付けることができる。図４に示すように、床固定部材４０は、排水管９０ａ（ＶＰ管）とは内径が異なる他の排水管９０ｂ（ＶＵ管（塩ビ薄肉管））が第１接着剤９１によって取り付けられるブッシュ７０を含んでいる。ブッシュ７０は、第２接着剤９２によって接続部４２に取り付けられる。他の排水管９０ｂは、第２接着剤９２によってブッシュ７０が一体化された接続部４２に、第１接着剤９１によって取り付けられることとなる。
【００２６】
ブッシュ７０も、透明な材料、例えば透明な合成樹脂脂材料から形成されている。ブッシュ７０は、床固定部材４０の構成材料と同じ透明な材料から構成することができる。ここに「透明な材料」は、排水管９０ｂを取り付ける第１接着剤９１の塗布状況を視認することができる材料である限りにおいて、着色されていてもよい。
【００２７】
なお、排水管９０ａ（ＶＰ管）、他の排水管９０ｂ（ＶＵ管）を取り付ける第１接着剤９１およびブッシュ７０を取り付ける第２接着剤９２は、特に限定されるものではなく、床固定部材４０、ブッシュ７０および排水管９０ａ、９０ｂの構成材料によって適宜選択される。
【００２８】
第１接着剤９１は、着色することが好ましい。例えば、青色に着色されている。第１接着剤９１の塗布状況を視認し易くするためである。第１接着剤９１は、透明でも、非透明でもいずれでもよい。
【００２９】
第２接着剤９２は、第１接着剤９１の色とは異なる色に着色することが好ましい。例えば、緑色に着色されている。第１接着剤９１の塗布状況とは別個に、第２接着剤９２の塗布状況を視認し易くするためである。第２接着剤９２は、透明でも、非透明でもいずれでもよい。
【００３０】
封水筒８０は、スロート８１と、カップ８２とから構成されている。図３に示されるように、カップ８２は、開口部８３の上部に段差部８４が形成され、スロート８１は、カップ８２の段差部８４に嵌まり合う段差部８５が形成されている。カップ８２の内部にスロート８１を嵌め合わせた封水筒８０は、床固定部材４０の環状段部４３によって保持される。封水筒８０は、床固定部材４０の接続部４２の内周面に接した状態において３６０度回転可能である。ホースジョイント１０から流入した排水は、スロート８１の内部を流下した後、スロート８１とカップ８２との間に形成されるスペース内を上方に流れ、カップ８２の開口部８３から流出する。
【００３１】
本実施形態の作用を説明する。まず、床排水トラップ１００の施工について簡単に説明する。
【００３２】
目隠しシート６０を、床固定部材４０の本体部４１の下面側に配置する。床固定部材４０の接続部４２は、目隠しシート６０の中心孔６１に挿通される。ブッシュ７０を、第２接着剤９２によって床固定部材４０の接続部４２の外周に取り付ける。排水管９０ｂ（ＶＵ管）を、第１接着剤９１によってブッシュ７０に取り付ける。床固定部材４０を、ビスなどによって床板１１０に取り付ける。封水筒８０を、床固定部材４０の接続部４２の内部に収容し、環状段部４３によって保持する。環状シール３０を接続部４２の内部に収容し、封水筒８０の上部に配置する。リング２０をホースジョイント１０のフランジ１２の上面に配置し、接続部４２の内部に収容する。
【００３３】
カバー部材５０をガイドレール４５に沿ってスライドさせると、カバー部材５０がリング２０上に乗り上げることによって締付力が発生する。この締付力が、リング２０を介してフランジ１２に伝達される。フランジ１２の下面が環状シール３０を押圧し、フランジ１２の下面と床固定部材４０の環状段部４３との間が環状シール３０によって水密となる。
【００３４】
次に、第１接着剤９１および第２接着剤９２が適切に塗布されているか否かを点検するときの作用を説明する。
【００３５】
図４に示すように、排水管９０ｂ（ＶＵ管）をブッシュ７０に取り付ける第１接着剤９１は、符号ｈ１によって示される範囲に塗布されている。ブッシュ７０を床固定部材４０の接続部４２に取り付ける第２接着剤９２は、符号ｈ２によって示される範囲に塗布されている。
【００３６】
非透明なカバー部材５０、ホースジョイント１０および封水筒８０を床固定部材４０から取り外した状態においては、透明な床固定部材４０の接続部４２の内周面が露出する。矢印１２１によって示すように、点検者が接続部４２の内周面を視ると、透明な接続部４２および透明なブッシュ７０を通して、第１接着剤９１の塗布状況の視認が可能となる。これによって、排水管９０ｂ（ＶＵ管）を接続するための第１接着剤９１が適切に塗布されているか否かを点検できる。
【００３７】
さらに、矢印１２２によって示すように、点検者が接続部４２の内周面を視ると、透明な接続部４２を通して、第２接着剤９２の塗布状況の視認が可能となる。これによって、ブッシュ７０を接続するための第２接着剤９２が適切に塗布されているか否かを点検できる。
【００３８】
一方、通常使用時やメンテナンス時においては、非透明な目隠しシート６０によって透明な床固定部材４０を通しての視認が不能となり、床板１１０の下穴１１１（図３および図４を参照）などを視認できない。目隠しシート６０は床固定部材４０の本体部４１の下面側に配置されているので、床排水トラップ１００の使用者は、床固定部材４０の本体部４１のうちカバー部材５０によって覆われていない領域においては、透明な床固定部材４０を通して目隠しシート６０を視認することはできる。しかしながら、非透明な目隠しシート６０によって透明な床固定部材４０を通しての視認が遮られる結果、目隠しシート６０よりも下方空間の視認が不能となる。
【００３９】
床板１１０には、床固定部材４０を取り付けるための下穴１１１が形成されている。この下穴１１１の内径寸法は、床固定部材４０の取り付け作業を行ない易くするために、排水管９０ｂの外径寸法よりも大きい。下穴１１１の軸芯と排水管９０ｂの軸芯とがずれたとしても、床排水トラップ１００の性能に何ら悪影響を与えることはない。しかしながら、下穴１１１と排水管９０ｂとのクリアランスが周方向に一定とならないと、美感の観点から、床排水トラップ１００の使用者に違和感を生じさせる虞がある。
【００４０】
本実施形態にあっては、目隠しシート６０よりも下方空間の視認が不能となる。このため、下穴１１１と排水管９０ｂとのクリアランスが周方向に一定となっていない場合であっても、床排水トラップ１００の使用者に違和感を生じさせることがない。
【００４１】
以上説明したように、本実施形態の床排水トラップ１００は、透明な床固定部材４０の本体部４１のうち非透明なカバー部材５０によって覆われていない領域に、非透明な材料から形成された目隠しシート６０を配置している。
【００４２】
このように構成することによって、カバー部材５０、ホースジョイント１０および封水筒８０を床固定部材４０から取り外した状態においては、透明な床固定部材４０の接続部４２を通して第１接着剤９１の塗布状況の視認が可能となり、第１接着剤９１が適切に塗布されているか否かを点検することができる。一方、通常使用時やメンテナンス時においては、非透明な目隠しシート６０によって透明な床固定部材４０を通しての視認が不能となり、床板１１０の下穴１１１などを視認できない。したがって、点検時において、排水管９０ｂを接続する第１接着剤９１の塗布状況の視認を可能とする一方、通常使用時やメンテナンス時においては美感を維持し得る床排水トラップ１００を提供できる。
【００４３】
床固定部材４０は、排水管９０ａとは内径が異なる他の排水管９０ｂが第１接着剤９１によって取り付けられるブッシュ７０を含み、ブッシュ７０は、透明な材料から形成され、第２接着剤９２によって接続部４２に取り付けられる。
【００４４】
このように構成することによって、カバー部材５０、ホースジョイント１０および封水筒８０を床固定部材４０から取り外した状態においては、透明な床固定部材４０の接続部４２および透明なブッシュ７０を通して、第１接着剤９１の塗布状況の視認が可能となる。これによって、他の排水管９０ｂを接続するための第１接着剤９１が適切に塗布されているか否かを点検できる。さらに、透明な接続部４２を通して、第２接着剤９２の塗布状況の視認が可能となる。これによって、ブッシュ７０を接続するための第２接着剤９２が適切に塗布されているか否かを点検できる。
【００４５】
目隠しシート６０は、床固定部材４０の本体部４１の下面側に配置されている。
【００４６】
このように構成することによって、目隠しシート６０は、床固定部材４０の本体部４１と床板１１０との間に挟み込んで取り付けることができる。床固定部材４０の上面に接着剤や粘着剤を用いて貼り付ける場合に比べて、目隠しシート６０の取り付け性が向上する。
【００４７】
第１接着剤９１は、着色することが好ましい。
【００４８】
このように構成することによって、第１接着剤９１の塗布状況を視認し易くなり、点検作業が容易になる。
【００４９】
第２接着剤９２は、第１接着剤９１の色とは異なる色に着色することが好ましい。
【００５０】
このように構成することによって、第１接着剤９１の塗布状況とは別個に、第２接着剤９２の塗布状況を視認し易くなり、点検作業が容易になる。
【００５１】
図５に示したように、ブッシュ７０を使用せずに排水管９０ａを床固定部材４０の接続部４２に取り付けた場合も同様の作用効果を奏する。
【００５２】
すなわち、カバー部材５０、ホースジョイント１０および封水筒８０を床固定部材４０から取り外した状態においては、透明な床固定部材４０の接続部４２を通して第１接着剤９１の塗布状況の視認が可能となり、第１接着剤９１が適切に塗布されているか否かを点検することができる。一方、通常使用時やメンテナンス時においては、非透明な目隠しシート６０によって透明な床固定部材４０を通しての視認が不能となり、床板１１０の下穴１１１などを視認できない。したがって、点検時において、排水管９０ａを接続する第１接着剤９１の塗布状況の視認を可能とする一方、通常使用時やメンテナンス時においては美感を維持し得る床排水トラップ１００を提供できる。
【００５３】
（改変例）
床固定部材４０に対してスライド移動して取り付けられるカバー部材５０を図示したが、本考案はこの場合に限定されない。床固定部材４０およびカバー部材５０は、ホースジョイント１０を床固定部材４０に押し付ける機能を発揮すればよく、適宜改変可能である。例えば、カバー部材にスナップフックを設け、床固定部材にスナップバーを設けて、スナップ留め具を構成してもよい。
【符号の説明】
【００５４】
１０    ホースジョイント、
２０    リング、
３０    環状シール、
４０    床固定部材、
４１    本体部、
４１ａ  上段部の上面（床固定部材の本体部のうちカバー部材によって覆われていない領域）、
４１ｂ  下段部の上面、
４２    接続部、
５０    カバー部材、
６０    目隠しシート、
６１    中心孔、
６２    貫通孔、
７０    ブッシュ、
８０    封水筒、
８１    スロート、
８２    カップ、
８３    開口部、
９０ａ  排水管、
９０ｂ  排水管（他の排水管）、
９１    第１接着剤、
９２    第２接着剤、
１００  床排水トラップ、
１１０  床板、
１１１  下穴。
【図１】
0003215054.tif 000003
【図２】
0003215054.tif 000004
【図３】
0003215054.tif 000005
【図４】
0003215054.tif 000006
【図５】
0003215054.tif 000007